【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
小型セル基地局において干渉を補償するための方法であって、
ワイヤレス通信ネットワークに関連付けられた近隣基地局からの制御信号を検出することと、前記制御信号が、あらかじめ決定された間隔で前記近隣基地局によって送信される、
前記あらかじめ決定された間隔中に、送信機が低減された送信電力で接続されたモバイルデバイスにデータを送信するように、前記小型セル基地局の送信電力レベルを低減することによって、制御信号が前記近隣基地局から受信される、前記あらかじめ決定された間隔中に、前記小型セル基地局の前記送信機が前記小型セル基地局に接続されたモバイルデバイスにデータを送信することによって引き起こされた自己誘導干渉を補償することとを備える方法。
【請求項２】
前記近隣基地局が、マクロセル基地局、ピコセル基地局、マイクロセル基地局、またはフェムトセル基地局を備える、請求項１に記載の方法。
【請求項３】
時間および周波数同期情報を、前記制御信号から導出することと、
前記時間および周波数同期情報に基づいて、前記時間および周波数同期情報に基づいて、前記小型セル基地局のタイミングと、前記小型セル基地局によって使用された周波数とを同期させることとをさらに備える、請求項１に記載の方法。
【請求項４】
前記近隣基地局が、前記小型セル基地局よりも正確な時間および周波数基準を有する基地局を備える、請求項２に記載の方法。
【請求項５】
前記小型セル基地局が、前記近隣基地局とは異なるダウンリンク周波数を使用して動作するように構成される、請求項１に記載の方法。
【請求項６】
複数の近隣基地局から信号を受信することと、
前記複数の近隣基地局から受信された前記信号に基づいて、前記複数の基地局から前記近隣基地局を選択することと、
前記選択された近隣基地局からの前記制御信号を検出することとをさらに備え、好ましくは、
前記複数の近隣基地局から受信された前記信号に基づいて、前記複数の基地局から前記近隣基地局を選択することが、１つまたは複数のランク付け基準に基づいて、前記近隣基地局をランク付けすることをさらに備え、さらに好ましくは、
前記１つまたは複数のランク付け基準が、前記小型セル基地局において前記近隣基地局から受信された前記信号の信号強度、前記近隣基地局および前記小型セル基地局によって使用されたダウンリンク周波数の周波数分離、前記小型セル基地局において前記近隣基地局から受信された前記信号の信号品質、または前記近隣基地局によって広告されたストレータムレベルのうちの少なくとも１つを備える、請求項１に記載の方法。
【請求項７】
前記小型セル基地局の前記送信機によって引き起こされた前記自己誘導干渉を補償することが、
前記小型セル基地局の前記送信機によって送信されるべきデータに関連付けられた信号を監視することと、
前記送信されるべきデータに関連付けられた前記信号に基づいて、受信機についての自己誘導干渉推定値を決定することと、
前記自己誘導干渉推定値に基づいて、前記自己誘導干渉を補償することとをさらに備え、好ましくは、
前記自己誘導干渉推定値に基づいて、前記自己誘導干渉を補償することが、
前記受信機において前記自己誘導干渉を消去するために、前記自己誘導干渉推定値に基づいて、ベースバンド信号を生成することと、
前記小型セル基地局の受信機に、前記ベースバンド信号を与えることとをさらに備え、または、
前記自己誘導干渉推定値に基づいて、前記自己誘導干渉を補償することが、
前記受信機において前記自己誘導干渉を消去するために、前記自己誘導干渉推定値に基づいて、無線周波数信号を生成することと、
前記小型セル基地局の受信機に、前記無線周波数信号を与えることとをさらに備える、請求項１に記載の方法。
【請求項８】
前記小型セル基地局の前記送信機によって引き起こされた前記自己誘導干渉を補償することが、
前記小型セル基地局にアタッチされた少なくとも１つのモバイルデバイスを識別することと、
前記小型セル基地局にアタッチされた前記少なくとも１つのモバイルデバイスのいずれかが、前記小型セル基地局によって提供されたセルカバレージエリアのエッジの近くにあるか否かを決定することと、
前記小型セル基地局にアタッチされた前記少なくとも１つのモバイルデバイスのいずれもが、前記セルカバレージエリアの前記エッジの近くにない場合、制御信号が前記近隣基地局から受信される期間中に、それにおいて前記小型セル基地局を動作させるべき前記低減された送信電力レベルを決定することとをさらに備える、請求項１に記載の方法。
【請求項９】
制御信号が前記近隣基地局から受信される前記期間中に、前記低減された電力レベルで前記小型セル基地局送信機を動作させることをさらに備える、請求項８に記載の方法。
【請求項１０】
制御信号が前記近隣基地局から受信される前記期間中に、それにおいて前記小型セル基地局を動作させるべき前記低減された送信電力レベルを決定することが、
前記小型セル基地局からの前記少なくとも１つのモバイルデバイスの相対的距離を決定することと、
前記少なくとも１つのモバイルデバイスとの間の通信リンクの信号品質を決定することと、
前記少なくとも１つのモバイルデバイスに関連付けられたサービス品質（ＱｏＳ）情報にアクセスすることと、
前記相対的距離、前記信号品質、または前記ＱｏＳ情報のうちの少なくとも１つに基づいて、それにおいて前記小型セル基地局を動作させるべき前記低減された送信電力レベルを決定することとをさらに備える、請求項８に記載の方法。
【請求項１１】
前記小型セル基地局の前記送信機によって引き起こされた前記自己誘導干渉を補償することが、
前記制御信号が前記近隣基地局から受信される期間にわたってスケジュールされた前記小型セル基地局による送信が、前記制御信号が前記近隣基地局から受信される前記期間の外側で再スケジュールされ得るか否かを決定することと、
前記小型セル基地局による前記送信が再スケジュールされ得る場合、前記制御信号が前記近隣基地局から受信される前記期間の外側で発生するように、前記送信を再スケジュールすることとをさらに備える、請求項１に記載の方法。
【請求項１２】
前記制御信号が前記近隣基地局から受信される期間が経過すると、前記小型セル基地局の前記送信電力レベルを増加させることをさらに備え、好ましくは、
前記増加させることは、前記小型セル基地局が前記低減することより前に動作中であった送信電力レベルまで前記送信電力レベルを増加させることを備える、請求項１に記載の方法。
【請求項１３】
前記モバイルデバイスに関連付けられたサービス品質（ＱｏＳ）要件、前記小型セル基地局からの前記モバイルデバイスの各々の相対的距離、または、１つまたは複数の近隣基地局からの干渉のうちの少なくとも１つに基づいて前記低減された送信電力を決定することをさらに備える、請求項１に記載の方法。
【請求項１４】
小型セル基地局において干渉を補償するための装置であって、
ワイヤレス通信ネットワークに関連付けられた近隣基地局からの制御信号を検出するための手段と、前記制御信号が、あらかじめ決定された間隔で前記近隣基地局によって送信される、
前記あらかじめ決定された間隔中に、送信機が低減された送信電力で接続されたモバイルデバイスにデータを送信するように、前記小型セル基地局の送信電力レベルを低減することによって、制御信号が前記近隣基地局から受信される、前記あらかじめ決定された間隔中に、前記小型セル基地局の前記送信機が前記小型セル基地局に接続されたモバイルデバイスにデータを送信することによって引き起こされた自己誘導干渉を補償するための手段とを備える装置。
【請求項１５】
請求項１から１３のいずれか一項に記載の方法をコンピュータに実行させるように構成された命令を備える、小型セル基地局において干渉を補償するためのコンピュータ可読命令を記憶した非一時的コンピュータ可読媒体。